(57)【要約】【課題】プラントシミュレータの台数を訓練等の規模に合せて容易に増減する。【解決手段】プラントを模擬するシミュレーション処理部１２と、この処理部の実行及び停止の入力を受け入れるインストラクタ処理部１３と、プラント制御監視装置を模擬して表示し操作入力を模擬する入力を受け入れる監視・操作処理部１４と、各処理部の起動、停止等を行なう構成管理部１６とを有し、構成管理部は、自らの発電プラントシミュレータ１１のシミュレーション処理部について、他の発電プラントシミュレータ１１Ａ１…のシミュレーション処理部のプラントサーバを使用する場合に停止させ、自らのシミュレーション処理部のプラントサーバを使用する場合にアドレスを設定して起動させ、自らの発電プラントシミュレータのインストラクタ処理部、監視・操作処理部について、使用するプラントサーバを備えたシミュレーション処理部のアドレスに関連するアドレスを設定する。【選択図】図１
2020148956.tif 000002
【特許請求の範囲】
【請求項１】
プラントの運転を訓練または研修するためのプラントシミュレータにおいて、
プラントデータを格納するプラントサーバとして機能すると共に前記プラントデータに基づいて前記プラントを模擬するシミュレーション処理部と、
前記シミュレーション処理部の初期条件設定、実行及び停止の入力を受け入れるインストラクタ処理部と、
前記プラントのプラント制御監視装置の機能を模擬して表示すると共に前記プラント制御監視装置への操作入力を模擬する入力を受け入れる監視・操作処理部と、
前記シミュレーション処理部、前記インストラクタ処理部及び前記監視・操作処理部のアドレスデータを格納するアドレスデータベースと、
前記アドレスデータベースとの間で前記アドレスデータを送受信すると共に前記シミュレーション処理部、前記インストラクタ処理部及び前記監視・操作処理部の起動、停止を含む管理を行う構成管理部と、を有し、
前記構成管理部は、自らの前記プラントシミュレータが他の前記プラントシミュレータにネットワークを介して接続したとき、前記他のプラントシミュレータにおける前記シミュレーション処理部の起動状態及びそのアドレスを確認する処理部アドレス確認機能部と、
前記自らのプラントシミュレータの前記シミュレーション処理部について、前記他のプラントシミュレータの前記シミュレーション処理部が備える前記プラントサーバの使用を選択する場合には停止させ、自らの前記シミュレーション処理部が備える前記プラントサーバの使用を選択する場合には前記アドレスデータベースを参照してアドレスを設定して起動させるプラントサーバ選択機能部と、
前記自らのプラントシミュレータにおける起動させる前記インストラクタ処理部、前記監視・操作処理部のそれぞれについて、使用を選択した前記プラントサーバを備え且つ起動状態にある前記シミュレーション処理部のアドレスに関連するアドレスを前記アドレスデータベースを参照して設定するそれぞれインストラクタ処理部起動停止機能部、監視・操作処理部管理部と、を有して構成されたことを特徴とするプラントシミュレータ。
【請求項２】
前記構成管理部は、現在動作しているプラントシミュレータの構成状態を一覧表示するプラント構成一覧表示機能部と、このプラント構成一覧表示機能部により一覧表示された他の前記プラントシミュレータの構成を変更可能とするシミュレータ構成変更機能部と、を更に有することを特徴とする請求項１に記載のプラントシミュレータ。
【請求項３】
プラントの運転を訓練または研修するためのプラントシミュレータにおいて、
プラントデータを格納するプラントサーバとして機能すると共に前記プラントデータに基づいて前記プラントを模擬するシミュレーション処理部と、
前記シミュレーション処理部の初期条件設定、実行及び停止の入力を受け入れるインストラクタ処理部と、
前記プラントのプラント制御監視装置の機能を模擬して表示すると共に前記プラント制御監視装置への操作入力を模擬する入力を受け入れる監視・操作処理部と、
前記シミュレーション処理部、前記インストラクタ処理部及び前記監視・操作処理部の起動、停止を含む管理を行う構成管理部と、を有し、
前記構成管理部は、自らの前記プラントシミュレータが他の前記プラントシミュレータに接続された状態で、前記他のプラントシミュレータにおける起動状態の前記シミュレーション処理部内の前記プラントデータとしてのシミュレーションデータを、前記自らのプラントシミュレータの前記シミュレーション処理部に複製するシミュレーションデータ複製機能部を有して構成されたことを特徴とするプラントシミュレータ。
【請求項４】
プラントの運転を訓練または研修するための複数台のプラントシミュレータを、ネットワークを介して接続するプラントシミュレータの接続方法において、
前記プラントシミュレータは、プラントデータを格納するプラントサーバとして機能すると共に前記プラントデータに基づいて前記プラントを模擬するシミュレーション処理部と、前記シミュレーション処理部の初期条件設定、実行及び停止の入力を受け入れるインストラクタ処理部と、前記プラントのプラント制御監視装置の機能を模擬して表示すると共に前記プラント制御監視装置への操作入力を模擬する入力を受け入れる監視・操作処理部と、前記シミュレーション処理部、前記インストラクタ処理部及び前記監視・操作処理部のアドレスデータを格納するアドレスデータベースと、前記アドレスデータベースとの間で前記アドレスデータを送受信すると共に前記シミュレーション処理部、前記インストラクタ処理部及び前記監視・操作処理部の起動、停止を含む管理を行う構成管理部と、を有するものであり、
自らの前記プラントシミュレータを他の前記プラントシミュレータにネットワークを介して接続する際に、前記他のプラントシミュレータにおける前記シミュレーション処理部の起動状態及びそのアドレスを確認し、
前記自らのプラントシミュレータの前記シミュレーション処理部について、前記他のプラントシミュレータの前記シミュレーション処理部が備える前記プラントサーバの使用を選択する場合には停止させ、自らの前記シミュレーション処理部が備える前記プラントサーバの使用を選択する場合には前記アドレスデータベースを参照してアドレスを設定して起動させ、
前記自らのプラントシミュレータにおける起動させる前記インストラクタ処理部、前記監視・操作処理部のそれぞれについて、使用を選択した前記プラントサーバを備え且つ起動状態にある前記シミュレーション処理部のアドレスに関連するアドレスを、前記アドレスデータベースを参照して設定することを特徴とするプラントシミュレータの接続方法。
【発明の詳細な説明】
【技術分野】
【０００１】
本発明の実施形態は、プラントの運転を訓練または研修するためのプラントシミュレータ、及び複数台のプラントシミュレータを、ネットワークを介して接続するプラントシミュレータの接続方法に関する。
【背景技術】
【０００２】
従来のプラントシミュレータ、例えば発電プラントシミュレータは、各種（各型）の発電プラントのさまざまな挙動を模擬し、プラントの運転員や訓練生の訓練や研修を行うための装置である。図８は従来の発電プラントシミュレータの構成図である。従来の発電プラントシミュレータ１００は、複数のプラントデータを格納したプラントサーバとして機能すると共に、プラントデータに基づいてプラントを模擬するシミュレーション処理部１０１と、シミュレーション処理部１０１の初期状態設定、実行及び停止などの入力を受け入れるインストラクタ処理部１０２と、プラントのプラント制御監視装置の機能を模擬して表示すると共に、プラント制御監視装置への操作入力を模擬する入力を受け入れる監視・操作処理部１０３と、シミュレーション処理部１０１、インストラクタ処理部１０２及び監視・操作処理部１０３をそれぞれ個別に起動、停止させる起動停止選択部１０４と、を有して構成される。
【先行技術文献】
【特許文献】
【０００３】
【特許文献１】特開２０１８−１２４４４６号公報
【発明の概要】
【発明が解決しようとする課題】
【０００４】
従来の発電プラントシミュレータ１００では、シミュレーション処理部１０１、インストラクタ処理部１０２、監視・操作処理部１０３などの各処理部に、事前にシミュレーション用のアドレスを設定しておく必要がある。そのため、発電プラントシミュレータ１００の台数や構成が限定され、訓練や研修の規模に合せて発電プラントシミュレータ１００の台数を任意に増減するためには、メーカーまたは、専門技術を有する有識者によるアドレスの設定作業がその都度必要であり、容易に行うことができないという課題がある。
【０００５】
本発明の実施形態は、上述の事情を考慮してなされたものであり、プラントシミュレータの台数を訓練や研修の規模に合せて容易に増減できるプラントシミュレレータ及びプラントシミュレータの接続方法を提供することを目的とする。
【課題を解決するための手段】
【０００６】
本発明の実施形態におけるプラントシミュレータは、プラントの運転を訓練または研修するためのプラントシミュレータにおいて、プラントデータを格納するプラントサーバとして機能すると共に前記プラントデータに基づいて前記プラントを模擬するシミュレーション処理部と、前記シミュレーション処理部の初期条件設定、実行及び停止の入力を受け入れるインストラクタ処理部と、前記プラントのプラント制御監視装置の機能を模擬して表示すると共に前記プラント制御監視装置への操作入力を模擬する入力を受け入れる監視・操作処理部と、前記シミュレーション処理部、前記インストラクタ処理部及び前記監視・操作処理部のアドレスデータを格納するアドレスデータベースと、前記アドレスデータベースとの間で前記アドレスデータを送受信すると共に前記シミュレーション処理部、前記インストラクタ処理部及び前記監視・操作処理部の起動、停止を含む管理を行う構成管理部と、を有し、前記構成管理部は、自らの前記プラントシミュレータが他の前記プラントシミュレータにネットワークを介して接続したとき、前記他のプラントシミュレータにおける前記シミュレーション処理部の起動状態及びそのアドレスを確認する処理部アドレス確認機能部と、前記自らのプラントシミュレータの前記シミュレーション処理部について、前記他のプラントシミュレータの前記シミュレーション処理部が備える前記プラントサーバの使用を選択する場合には停止させ、自らの前記シミュレーション処理部が備える前記プラントサーバの使用を選択する場合には前記アドレスデータベースを参照してアドレスを設定して起動させるプラントサーバ選択機能部と、前記自らのプラントシミュレータにおける起動させる前記インストラクタ処理部、前記監視・操作処理部のそれぞれについて、使用を選択した前記プラントサーバを備え且つ起動状態にある前記シミュレーション処理部のアドレスに関連するアドレスを前記アドレスデータベースを参照して設定するそれぞれインストラクタ処理部起動停止機能部、監視・操作処理部管理部と、を有して構成されたことを特徴とするものである。
【０００７】
本発明の実施形態におけるプラントシミュレータの接続方法は、プラントの運転を訓練または研修するための複数台のプラントシミュレータを、ネットワークを介して接続するプラントシミュレータの接続方法において、前記プラントシミュレータは、プラントデータを格納するプラントサーバとして機能すると共に前記プラントデータに基づいて前記プラントを模擬するシミュレーション処理部と、前記シミュレーション処理部の初期条件設定、実行及び停止の入力を受け入れるインストラクタ処理部と、前記プラントのプラント制御監視装置の機能を模擬して表示すると共に前記プラント制御監視装置への操作入力を模擬する入力を受け入れる監視・操作処理部と、前記シミュレーション処理部、前記インストラクタ処理部及び前記監視・操作処理部のアドレスデータを格納するアドレスデータベースと、前記アドレスデータベースとの間で前記アドレスデータを送受信すると共に前記シミュレーション処理部、前記インストラクタ処理部及び前記監視・操作処理部の起動、停止を含む管理を行う構成管理部と、を有するものであり、自らの前記プラントシミュレータを他の前記プラントシミュレータにネットワークを介して接続する際に、前記他のプラントシミュレータにおける前記シミュレーション処理部の起動状態及びそのアドレスを確認し、前記自らのプラントシミュレータの前記シミュレーション処理部について、前記他のプラントシミュレータの前記シミュレーション処理部が備える前記プラントサーバの使用を選択する場合には停止させ、自らの前記シミュレーション処理部が備える前記プラントサーバの使用を選択する場合には前記アドレスデータベースを参照してアドレスを設定して起動させ、前記自らのプラントシミュレータにおける起動させる前記インストラクタ処理部、前記監視・操作処理部のそれぞれについて、使用を選択した前記プラントサーバを備え且つ起動状態にある前記シミュレーション処理部のアドレスに関連するアドレスを、前記アドレスデータベースを参照して設定することを特徴とするものである。
【発明の効果】
【０００８】
本発明の実施形態によれば、プラントシミュレータの台数を訓練や研修の規模に合せて容易に増減できる。
【図面の簡単な説明】
【０００９】
【図１】第１実施形態に係るプラントシミュレータが適用された発電プラントシミュレータにおける構成管理部の動作状況を説明する説明図。
【図２】図１の発電プラントシミュレータにおける構成管理部の他の動作状況を説明する説明図。
【図３】図１及び図２の管理構成部の動作を示すフローチャート。
【図４】第２実施形態に係るプラントシミュレータが適用された発電プラントシミュレータにおける構成管理部のプラント構成一覧表示機能部の動作状況を説明する説明図。
【図５】図４の発電プラントシミュレータにおける構成管理部のシミュレータ構成変更機能部の動作状況を説明する説明図。
【図６】図４及び図５の構成管理部の動作を示すフローチャート。
【図７】第３実施形態に係るプラントシミュレータが適用された発電プラントシミュレータにおける構成管理部のシミュレーションデータ複製機能部の動作状況を説明する説明図。
【図８】従来の発電プラントシミュレータの構成を示す構成図。
【発明を実施するための形態】
【００１０】
以下、本発明を実施するための形態を、図面に基づき説明する。
［Ａ］第１実施形態（図１〜図３）
図１は、第１実施形態に係るプラントシミュレータが適用された発電プラントシミュレータにおける構成管理部の動作状況を説明する説明図である。図２は、図１の発電プラントシミュレータにおける構成管理部の他の動作状況を説明する説明図である。これらの図１及び図２に示す発電プラントシミュレータシステム１０は、共通ネットワーク２１を介して、自らの発電プラントシミュレータ１１が他の発電プラントシミュレータ群、例えば発電プラントＡシミュレータ群１０Ａの他の発電プラントシミュレータ１１Ａ１、１１Ａ２…、及び発電プラントＢシミュレータ群１０Ｂの他の発電プラントシミュレータ１１Ｂ１、１１Ｂ２…に接続されて構成されている。
【００１１】
自らの発電プラントシミュレータ１１は発電プラントの、他の発電プラントシミュレータ１１Ａ１、１１Ａ２…は発電プラントＡの、他の発電プラントシミュレータ１１Ｂ１、１１Ｂ２…は発電プラントＢの、それぞれ運転を訓練または研修するためのものである。自らの発電プラントシミュレータ１１は、以下に述べるように構成されるが、他の発電プラントシミュレータ１１Ａ１、１１Ａ２…及び１１Ｂ１、１１Ｂ２…も、自らの発電プラントシミュレータ１１と同様に構成されている。
【００１２】
自らの発電プラントシミュレータ１１は、シミュレーション処理部１２、インストラクタ処理部１３、監視・操作処理部１４、アドレスデータベース１５及び構成管理部１６を有して構成される。このうちの構成管理部１６は、処理部アドレス確認機能部１７、プラントサーバ選択機能部１８、インストラクタ処理部起動停止機能部１９、監視・操作処理部管理部２０を備えて構成される。
【００１３】
シミュレーション処理部１２は、プラントデータを格納するプラントサーバを備えてこのプラントサーバとして機能すると共に、プラントデータに基づいて発電プラントを模擬する。この発電プラントの模擬は、発電プラントの動作ロジック（ＡＮＤ、ＯＲ、ＮＯＴ等を含む論理回路）をプラントサーバ内のプラントデータを用いて模擬し、更に、発電プラントの機械的または電気的な物理現象を、物理法則（運動方程式やエネルギー保存則など）に基づき、プラントサーバ内のプラントデータを用いてモデル化して模擬する。
【００１４】
インストラクタ処理部１３は、シミュレーション処理部１２の初期条件の設定、シミュレーション処理部１２によるシミュレーションの実効または停止などの入力を受け入れる。このインストラクタ処理部１３は、自らの発電プラントシミュレータ１１が指導員（教師）により操作される場合に起動される。
【００１５】
監視・操作処理部１４は、発電プラントのプラント制御監視装置の機能を模擬して表示すると共に、プラント制御監視装置への操作入力を模擬する入力を受け入れ、更に、発電プラントの制御操作及び監視状況を表示する制御・監視装置や、発電プラントの制御盤、現場盤をそれぞれ模擬するものである。この監視・操作処理部１４は、自らの発電プラントシミュレータ１１が指導員（教師）または訓練生（生徒）により操作される場合に起動する。
【００１６】
アドレスデータベース１５は、自らの発電プラントシミュレータ１１及び他の発電プラントシミュレータ群の他の発電プラントシミュレータ１１Ａ１、１１Ａ２…、１１Ｂ１、１１Ｂ２…におけるそれぞれのシミュレーション処理部１２、インストラクタ処理部１３及び監視・操作処理部１４のアドレスデータを更新可能に記憶して格納する。
【００１７】
構成管理部１６は、アドレスデータベース１５との間でアドレスデータを送受信すると共に、自らの発電プラントシミュレータ１１のシミュレーション処理部１２、インストラクタ処理部１３及び監視・操作処理部１４の起動、停止を含む管理を行なう。この構成管理部１６の処理部アドレス確認機能部１７は、自らの発電プラントシミュレータ１１が共通ネットワーク２１を介して他の発電プラントシミュレータ１１Ａ１、１１Ａ２…、１１Ｂ１、１１Ｂ２…に接続したときに、これらの他の発電プラントシミュレータ１１Ａ１、１１Ａ２…、１１Ｂ１、１１Ｂ２…におけるシミュレーション処理部１２、インストラクタ処理部１３、監視・操作処理部１４の起動状態とその起動状態にある各処理部のアドレスを確認し（図１、図２の矢印１７Ｘ参照）、そのアドレスデータをアドレスデータベース１５に更新して記憶させる。
【００１８】
構成管理部１６のプラントサーバ選択機能部１８は、まず、自らの発電プラントシミュレータ１１のシミュレーション処理部１２が備えるプラントサーバと、他の発電プラントシミュレータ１１Ａ１、１１Ａ２…、１１Ｂ１、１１Ｂ２…のシミュレーション処理部１２がそれぞれ備えるプラントサーバとのいずれを使用するかを選択する。
【００１９】
次に、プラントサーバ選択機能部１８は、他の発電プラントシミュレータ１１Ａ１、１１Ａ２…、１１Ｂ１、１１Ｂ２…の起動状態にあるシミュレーション処理部１２のプラントサーバの使用を選択する場合には、自らの発電プラントシミュレータ１１のシミュレーション処理部１２を停止させる（図１の矢印１８Ｘ参照）。また、プラントサーバ選択機能部１８は、自らの発電プラントシミュレータ１１のシミュレーション処理部１２が備えるプラントサーバの使用を選択する場合には、そのシミュレーション処理部１２のアドレスを、アドレスデータベース１５を参照して新たに設定してアドレスデータベース１５に記憶させると共に、そのシミュレーション処理部１２を起動させる（図２の矢印１８Ｘ参照）。
【００２０】
構成管理部１６のインストラクタ処理部起動停止機能部１９は、自らの発電プラントシミュレータ１１のインストラクタ処理部１３の起動または停止を選択し、その選択に応じてインストラクタ処理部１３へ起動または停止信号を送信する（図１、図２の矢印１９Ｘ参照）。自らの発電プラントシミュレータ１１のインストラクタ処理部１３を起動する場合には、そのインストラクタ処理部１３について、使用を選択したプラントサーバを備え且つ起動状態にあるシミュレーション処理部１２（自らの発電プラントシミュレータ１１のシミュレーション処理部１２、または他の発電プラントシミュレータ１１Ａ１、１１Ａ２…、１１Ｂ１、１１Ｂ２…のシミュレーション処理部１２）のアドレスに関連し且つ重複しないアドレスを、自らの発電プラントシミュレータ１１のアドレスデータベース１５を参照して設定する。
【００２１】
構成管理部１６の監視・操作処理部管理部２０は、自らの発電プラントシミュレータ１１の監視・操作処理部１４の起動または停止を選択し、その選択に応じて監視・操作処理部１４へ起動または停止信号を送信する（図１、図２の矢印２０Ｘ参照）。自らの発電プラントシミュレータ１１の監視・操作処理部１４を起動する場合には、その監視・操作処理部１４について、使用を選択したプラントサーバを備え且つ起動状態にあるシミュレーション処理部１２（自らの発電プラントシミュレータ１１のシミュレーション処理部１２、または他の発電プラントシミュレータ１１Ａ１、１１Ａ２…、１１Ｂ１、１１Ｂ２…のシミュレーション処理部１２）のアドレスに関連し且つ重複しないアドレスを、自らの発電プラントシミュレータ１１のアドレスデータベース１５を参照して設定する。
【００２２】
次に、自らの発電プラントシミュレータ１１の構成管理部１６の動作を、主に図３を用いて説明する。
自らの発電プラントシミュレータ１１が共通ネットワーク２１を介して他の発電プラントシミュレータ１１Ａ１、１１Ａ２…、１１Ｂ１、１１Ｂ２…に接続された状態で、構成管理部１６の処理部アドレス確認機能部１７は、他の発電プラントシミュレータ１１Ａ１、１１Ａ２…、１１Ｂ１、１１Ｂ２…のそれぞれのシミュレーション処理部１２、インストラクタ処理部１３、監視・操作処理部１４の起動状態と、その起動状態の各処理部１２、１３、１４のアドレスを確認し（Ｓ１１）、この確認したアドレスを、処理部アドレス確認機能部１７はデータベース１５に更新して記憶させる。
【００２３】
次に、構成管理部１６のプラントサーバ選択機能部１８は、他の発電プラントシミュレータ１１Ａ１、１１Ａ２…、１１Ｂ１、１１Ｂ２…における起動状態にあるシミュレーション処理部１２のプラントサーバの使用を選択して、自らの発電プラントシミュレータ１１のシミュレーション処理部１２を停止(ＯＦＦ)させるか、自らの発電プラントシミュレータ１１のシミュレーション処理部１２のプラントサーバの使用を選択し、このシミュレーション処理部１２について、アドレスデータベース１５に存在しない新たなアドレスを設定して自らの発電プラントシミュレータ１１のシミュレーション処理部１２を起動(ＯＮ)させるかを選択する（Ｓ１２）。
【００２４】
図１及び図２では、発電プラントＡシミュレータ群１０Ａの他の発電プラントシミュレータ１１Ａ１のシミュレーション処理部１２と、発電プラントＢシミュレータ群１０Ｂの他の発電プラントシミュレータ１１Ｂ１のシミュレーション処理部１２とが起動状態になっている。図１では、自らの発電プラントシミュレータ１１の構成管理部１６のプラントサーバ選択機能部１８が他の発電プラントシミュレータ１１Ａ１のプラントサーバの使用を選択した場合を示している。この場合には、自らの発電プラントシミュレータ１１が他の発電プラントシミュレータ１１Ａ１のシミュレーション処理部１２に接続するため、自らの発電プラントシミュレータ１１のシミュレーション処理部１２は起動の必要がなく、プラントサーバ選択機能部１８により停止（ＯＦＦ）される。
【００２５】
また、図２では、自らの発電プラントシミュレータ１１の構成管理部１６のプラントサーバ選択機能部１８が、自らの発電プラントシミュレータ１１のシミュレーション処理部１２のプラントサーバの使用を選択した場合を示している。この場合には、自らの発電プラントシミュレータ１１の構成管理部１６のプラントサーバ選択機能部１８は、自らの発電プラントシミュレータ１１のシミュレーション処理部１２について、アドレスデータベース１５に存在しない新たなアドレスを設定して起動(ＯＮ)させる（Ｓ１２）。
【００２６】
次に、構成管理部１６のインストラクタ処理部起動停止機能部１９は、自らの発電プラントシミュレータ１１を指導員用として機能させるか否か、つまり自らの発電プラントシミュレータ１１のインストラクタ処理部１３を起動させるか否かを選択し、この選択に応じてインストラクタ処理部１３に起動または停止信号を送信する（Ｓ１３）。このインストラクタ処理部１３を起動させる場合には、このインストラクタ処理部１３について、使用を選択したプラントサーバを備え且つ起動状態にあるシミュレーション処理部１２（例えば図１の場合には他の発電プラントシミュレータ１１Ａ１のシミュレーション処理部１２、図２の場合には自らの発電プラントシミュレータ１１のシミュレーション処理部１２）のアドレスに関連し且つ重複しないアドレスを、アドレスデータベース１５を参照して設定する（Ｓ１３）。
【００２７】
次に、構成管理部１６の監視・操作処理部管理部２０は、自らの発電プラントシミュレータ１１の監視・操作処理部１４を起動させるか否かを選択し、この選択に応じて監視・操作処理部１４に起動または停止信号を送信する（Ｓ１４）。監視・操作処理部１４を起動させる場合には、この監視・操作処理部１４について、使用を選択したプラントサーバを備え且つ起動状態にあるシミュレーション処理部１２（例えば図１の場合には他の発電プラントシミュレータ１１Ａ１のシミュレーション処理部１２、図２の場合には自らの発電プラントシミュレータ１１のシミュレーション処理部１２）のアドレスに関連し且つ重複しないアドレスを、アドレスデータベース１５を参照して設定する（Ｓ１４）。
【００２８】
上述のようにして、自らの発電プラントシミュレータ１１は、図１の例では他の発電プラントシミュレータ１１Ａ１のシミュレーション処理部１２に接続されるので、発電プラントＡシミュレータ群１０Ａに属する発電プラントシミュレータとして構成される。また、図２の例では、自らの発電プラントシミュレータ１１は、自らのシミュレーション処理部１２のプラントサーバを使用するので、他の発電プラントシミュレータ群のいずれにも属さない発電プラントシミュレータとして構成される。
【００２９】
以上のように構成されたことから、本第１実施形態によれば、次の効果（１）を奏する。
（１）図１及び図２に示すように、自らの発電プラントシミュレータ１１を他の発電プラントシミュレータ１１Ａ１、１１Ａ２…、１１Ｂ１、１１Ｂ２…に共通ネットワーク２１を介して接続する際に、自らの発電プラントシミュレータ１１の構成管理部１６におけるプラントサーバ選択機能部１８、インストラクタ処理部起動停止機能部１９、監視・操作処理部管理部２０のそれぞれが、自らの発電プラントシミュレータ１１の起動するシミュレーション処理部１２、インストラクタ処理部１３、監視操作処理部１４のそれぞれに自動でアドレスを設定する。このため、専門技術者が、追加する発電プラントシミュレータ１１の各処理部１２、１３、１４に事前に個別にアドレスを設定する必要がない。この結果、プラントシミュレータの台数を訓練や研修の規模に合せて容易に増減することができる。
【００３０】
また、自らの発電プラントシミュレータ１１の構成管理部１６のインストラクタ処理部起動停止機能部１９、監視・操作処理部管理部２０のそれぞれが、自らの発電プラントシミュレータ１１のインストラクタ処理部１３、監視・操作処理部１４のそれぞれの起動、停止を選択するので、訓練や研修の規模に合せた発電プラントシミュレータを構成できる。
【００３１】
これらのことから、訓練や研修の規模または形態に合せて発電プラントシミュレータの台数を容易に増減することができる。このため、例えば、１号機発電所と２号機発電所の連携訓練、または離れた地点に存在し異なる発電プラント同士の連携訓練を実施することができる。
【００３２】
［Ｂ］第２実施形態（図４〜図６）
図４は、第２実施形態に係るプラントシミュレータが適用された発電プラントシミュレータにおける構成管理部のプラント構成一覧表示機能部の動作状況を説明する説明図である。また、図５は、図４の発電プラントシミュレータにおける構成管理部のシミュレータ構成変更機能部の動作状況を説明する説明図である。この第２実施形態において第１実施形態と同様な部分については、第１実施形態と同一の符号を付すことにより説明を簡略化し、または省略する。
【００３３】
本第２実施形態の発電プラントシミュレータ（自らの発電プラントシミュレータ１１、他の発電プラントシミュレータ１１Ａ１、１１Ａ２…、１１Ｂ１、１１Ｂ２…）の構成管理部２６が第１実施形態と異なる点は、処理部アドレス確認機能部１７、プラントサーバ選択機能部１８、インストラクタ処理部起動停止機能部１９及び監視・操作処理部管理部２０を備えるほか、プラント構成一覧表示機能部２７及びシミュレータ構成変更機能部２８を備えて構成された点である。
【００３４】
例えば、図４に示すように、自らの発電プラントシミュレータ１１の構成管理部２６のプラント構成一覧表示機能部２７は、現在動作している発電プラントシミュレータの構成状態、図４の例では発電プラントＡシミュレータ群１０Ａの他の発電プラントシミュレータ１１Ａ１、１１Ａ２、１１Ａ３、１１Ａ４の構成状態（シミュレーション処理部１２、インストラクタ処理部１３、監視・操作処理部１４の起動、停止状態）をグラフィカルに一覧表示する。
【００３５】
また、例えば図５に示すように、自らの発電シミュレータ１１の構成管理部２６のシミュレータ構成変更機能部２８は、プラント構成一覧表示機能部２７により一覧表示された他の発電プラントシミュレータ（図５の例では発電プラントＡシミュレータ群１０Ａの他の発電プラントシミュレータ１１Ａ１、１１Ａ２、１１Ａ３、１１Ａ４）のうち、任意の一つが特定（クリック）されたとき、この特定された他の発電プラントシミュレータ（図５の例では他の発電プラントシミュレータ１１Ａ３）の構成を変更するよう選択する（矢印２８Ｘ参照）。図５の例では、自らの発電プラントシミュレータ１１の構成管理部２６のシミュレータ構成変更機能部２８及びプラントサーバ選択機能部１８は、発電プラントＡシミュレータ群１０Ａの他の発電プラントシミュレータ１１Ａ３を、自らの発電プラントシミュレータ１１のシミュレーション処理部１２のプラントサーバに接続させて、自らの発電プラントシミュレータ１１を含む発電プラントＣシミュレータ群１０Ｃに帰属させる構成に変更している。
【００３６】
次に、発電プラントシミュレータの構成管理部２６、例えば自らの発電プラントシミュレータ１１の構成管理部２６の動作を、主に図６を用いて説明する。
発電プラントＣシミュレータ群１０Ｃの自らの発電プラントシミュレータ１１が、共通ネットワーク２１を介して、発電プラントＡシミュレータ群１０Ａの他の発電プラントシミュレータ１１Ａ１、１１Ａ２…、及び発電プラントＢシミュレータ群１０Ｂの他の発電プラントシミュレータ１１Ｂ１、１１Ｂ２…に接続されている状態で、自らの発電プラントシミュレータ１１の構成管理部２６のプラント構成一覧表示部２７は、現在動作している複数の発電プラントシミュレータ、例えば他の発電プラントシミュレータ１１Ａ１、１１Ａ２、１１Ａ３、１１Ａ４の構成状態（例えば各処理部１２、１３、１４の起動、停止状態）をグラフィカルに一覧表示する（Ｓ２１）。
【００３７】
次に、自らの発電プラントシミュレータ１１の構成管理部２６のシミュレータ構成変更機能部２８は、プラント構成一覧表示機能部２７により一覧表示された他の発電プラントシミュレータから任意の一つが特定されたとき、この特定された発電プラントシミュレータ（例えば他の発電プラントシミュレータ１１Ａ３）の構成を変更するよう選択する（Ｓ２２）。
【００３８】
次に、自らの発電プラントシミュレータ１１の構成管理部２６のプラントサーバ選択機能部１８は、シミュレータ構成変更機能部２８により選択された発電プラントシミュレータ（例えば他の発電プラントシミュレータ１１Ａ３）を、どの発電プラントシミュレータのシミュレーション処理部１２のプラントサーバに接続させるかを選択する（Ｓ２３）。図５では、シミュレータ構成変更機能部２８により選択された他の発電プラントシミュレータ１１Ａ３は、自らの発電プラントシミュレータ１１のプラントサーバ選択機能部１８によって、発電プラントＣシミュレータ群１０Ｃに帰属するように構成が変更されている。
【００３９】
次に、自らの発電プラントシミュレータ１１の構成管理部２６のインストラクタ処理部起動停止機能部１９は、シミュレータ構成変更機能部２８により選択された発電プラントシミュレータ（例えば他の発電プラントシミュレータ１１Ａ３）のインストラクタ処理部１３を起動させるか否かを選択する（Ｓ２４）。図５では、他の発電プラントシミュレータ１１Ａ３のインストラクタ処理部１３の停止(ＯＦＦ)が選択されている。
【００４０】
次に、自らの発電プラントシミュレータ１１の構成管理部２６の監視・操作処理部管理部２０は、シミュレータ構成変更機能部２８により選択された発電プラントシミュレータ（例えば他の発電プラントシミュレータ１１Ａ３）の監視・操作処理部１４を起動させるか否かを選択する（Ｓ２５）。図５では、他の発電プラントシミュレータ１１Ａ３の監視・操作処理部１４の起動(ＯＮ)が選択されている。
【００４１】
次に、自らの発電プラントシミュレータ１１の構成管理部２６のシミュレータ構成変更機能部２８は、選択した発電プラントシミュレータ（例えば他の発電プラントシミュレータ１１Ａ３）における起動を選択したシミュレーション処理部１２、インストラクタ処理部１３、監視・操作処理部１４（例えば監視・操作処理部１４）に、アドレスデータベース１５を参照して、重複しないアドレスを設定する（Ｓ２６）。従って、自らの発電プラントシミュレータ１１の構成管理部２６によって、選択された他の発電プラントシミュレータの構成が、発電プラントＡシミュレータ群１０Ａに帰属する指導員用から、発電プラントＣシミュレータ群１０Ｃに帰属する訓練員用に変更される。
【００４２】
以上のように構成されたことから、本第２実施形態においても、第１実施形態の効果（１）と同様な効果を奏するほか、次の効果（２）を奏する。
【００４３】
（２）自らの発電プラントシミュレータ１１の構成管理部２６のプラント構成一覧表示機能部２７が、現在動作している発電プラントシミュレータの構成状態を一覧表示し、自らの発電プラントシミュレータ１１における構成管理部２６のシミュレータ構成変更機能部２８が、この一覧表示された発電プラントシミュレータから一つの他の発電プラントシミュレータ（例えば他の発電プラントシミュレータ１１Ａ３）を選択する。そして、自らの発電プラントシミュレータ１１における構成管理部２６のプラントサーバ選択機能部１８、インストラクタ処理部起動停止機能部１９、監視・操作処理部管理部２０及びシミュレータ構成変更機能部２８が、選択した他の発電プラントシミュレータ（例えば他の発電プラントシミュレータ１１Ａ３）の構成を変更する。この結果、訓練や研修の規模または形態に応じて、発電プラントシミュレータの構成をより柔軟に容易に変更することができる。
【００４４】
［Ｃ］第３実施形態（図７）
図７は、第３実施形態に係るプラントシミュレータが適用された発電プラントシミュレータにおける構成管理部のシミュレーションデータ複製機能部の動作状況を説明する説明図である。この第３実施形態において第１実施形態と同様な部分については、第１実施形態と同一の符号を付すことにより説明を簡略化し、または省略する。
【００４５】
本第３実施形態における複数台の発電プラントシミュレータ３１Ｍ１、３１Ｍ２、３１Ｍ３、３１Ｍ４、３１Ｍ５…は、ローカルネットワークを介して接続された同一のグループＭ内の発電プラントシミュレータである。これらの発電プラントシミュレータ３１Ｍ１〜３１Ｍ５…のそれぞれは、シミュレーション処理部１２、インストラクタ処理部１３、監視・操作処理部１４、アドレスデータベース１５及び構成管理部３２を有して構成される。このうちの構成管理部３２が、処理部起動停止選択部３３、処理部アドレス確認機能部３４及びシミュレーションデータ複製機能部３５を備える。
【００４６】
発電プラントシミュレータ３１Ｍ１〜３１Ｍ５…における構成管理部３２の処理部起動停止選択部３３は、それぞれの発電プラントシミュレータのシミュレーション処理部１２とインストラクタ処理部１３と監視・操作処理部１４とをそれぞれ起動または停止させる機能を果たす。また、構成管理部３２の処理部アドレス確認機能部３４は、グループＭ内の発電プラントシミュレータ３１Ｍ１〜３１Ｍ５…におけるシミュレーション処理部１２、インストラクタ処理部１３、監視・操作処理部１４の起動状態と、この起動状態にある各処理部１２、１３、１４のアドレスを確認し、そのアドレスデータをアドレスデータベース１５に更新して記憶させて管理する。
【００４７】
構成管理部３２のシミュレーションデータ複製機能部３５は、例えば発電プラントシミュレータ３１Ｍ５を自らの発電プラントシミュレータとし、発電プラントシミュレータ３１Ｍ１〜３１Ｍ４を他の発電プラントシミュレータとしたとき、自らの発電プラントシミュレータ３１Ｍ５が他の発電プラントシミュレータ３１Ｍ１〜３１Ｍ４に接続された状態で、起動状態のシミュレーション処理部１２を有する他の発電プラントシミュレータ３１Ｍ１における上記シミュレーション処理部１２内のプラントデータとしてのシミュレーションデータを、自らの発電プラントシミュレータ３１Ｍ５のシミュレーション処理部１２に複製する（矢印３５Ｘ参照）。
【００４８】
つまり、例えば、自らの発電プラントシミュレータ３１Ｍ５の構成管理部３２のシミュレーションデータ複製機能部３５は、グループＭ内でシミュレーション処理部１２が現在起動状態にある他の発電プラントシミュレータ３１Ｍ１をアドレスデータベース１５により確認し、この他の発電プラントシミュレータ３１Ｍ１のシミュレーション処理部１２内に確保されたシミュレーションデータを、自らのシミュレーション処理部１２に複製する。発電プラントシミュレータ３１Ｍ５の構成管理部３２のシミュレーションデータ複製機能部３５は、シミュレーションデータの複製後グループＭとの連携を切断して、発電プラントシミュレータ３１Ｍ５を個人用の発電プラントシミュレータとする。
【００４９】
図７では、生徒５が発電プラントシミュレータ３１Ｍ５を用いた訓練または研修を中断する場合、この発電プラントシミュレータ３１Ｍ５の構成管理部３２のシミュレーションデータ複製機能部３５は、生徒１が使用する発電プラントシミュレータ３１Ｍ１のシミュレーション処理部１２内に確保されているシミュレーションデータを、生徒５の発電プラントシミュレータ３１Ｍ５のシミュレーション処理部１２に複製し、その後、発電プラントシミュレータ３１Ｍ５をグループＭから分離させる。
【００５０】
以上のように構成されたことから、本第３実施形態によれば、次の効果（３）を奏する。
（３）グループＭ内での訓練または研修を中断しなければならなくなった場合には、発電プラントシミュレータの構成管理部３２のシミュレーションデータ複製機能部３５によって、同一のグループＭ内の他の発電プラントシミュレータ（例えば他の発電プラントシミュレータ３１Ｍ１）における起動状態のシミュレーション処理部１２に確保されたシミュレーションデータを、中断する自らの発電プラントシミュレータ（例えば発電プラントシミュレータ３１Ｍ５）のシミュレーション処理部１２に複製し、その後、自らの発電プラントシミュレータをグループＭから分離させる。これにより、自分の都合がつく時間に中断時のシミュレーションデータを用いて、自らの発電プラントシミュレータ（例えば発電プラントシミュレータ３１Ｍ５）により訓練または研修を再開させることができる。
【００５１】
なお、この第３実施形態の発電プラントシミュレータ（例えば発電プラントシミュレータ３１Ｍ１〜３１Ｍ５…）では、アドレスデータベース１５、及び構成管理部３２の処理部アドレス確認機能部３４は必ずしも必要ない。この場合には、中断しようとする自らの発電プラントシミュレータ（例えば発電プラントシミュレータ３１Ｍ５）を使用する訓練生が、現在起動状態にあるシミュレーション処理部１２を有する発電プラントシミュレータ（例えば発電プラントシミュレータ３１Ｍ１）のアドレスを確認し、このアドレスを自らの発電プラントシミュレータの構成管理部３２のシミュレーションデータ複製機能部３５に入力すればよい。
【００５２】
以上、本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができ、また、それらの置き換えや変更は、発明の範囲や要旨に含まれると共に、特許請求の範囲に記載された発明とその均等の範囲に含まれる。
【００５３】
例えば、プラントシミュレータは、発電プラントを模擬する発電プラントシミュレータに限らず、化学プラントなどの他のプラントを模擬するプラントシミュレータであってもよい。
また、監視・操作処理部１４を停止した状態は、基本的にはその発電プラントシミュレータを使用しない場合なので、各実施形態における構成管理部１６、２６、３２の監視・操作処理部管理部２０は監視・操作処理部１４の起動・停止機能を有さなくてもよく、監視・操作処理部１４についてアドレスを設定する機能があればよい。
【符号の説明】
【００５４】
１１…自らの発電プラントシミュレータ、１１Ａ１、１１Ａ２、１１Ｂ１、１１Ｂ２…他の発電プラントシミュレータ、１２…シミュレーション処理部、１３…インストラクタ処理部、１４…監視・操作処理部、１５…アドレスデータベース、１６…構成管理部、１７…処理部アドレス確認機能部、１８…プラントサーバ選択機能部、１９…インストラクタ処理部起動停止機能部、２０…監視・操作処理部管理部、２１…共通ネットワーク、２６…構成管理部、２７…プラント構成一覧表示機能部、２８…シミュレータ構成変更機能部、３１Ｍ１〜３１Ｍ５…発電プラントシミュレータ、３２…構成管理部、３５…シミュレーションデータ複製機能部
【図１】
2020148956.tif 000003
【図２】
2020148956.tif 000004
【図３】
2020148956.tif 000005
【図４】
2020148956.tif 000006
【図５】
2020148956.tif 000007
【図６】
2020148956.tif 000008
【図７】
2020148956.tif 000009
【図８】
2020148956.tif 000010